(57)【要約】【課題】簡便に音を反射させ、減衰させることができ、部材数が増えることのない防音カバーを提供する。【解決手段】内面に吸音材１３が配設され、背面２に形成された開口３に対向する正面４部が、奥行きが拡大するように傾斜し、減衰部１０が形成されている。【選択図】図１
2008082582.tif 000002
【特許請求の範囲】
【請求項１】
内面に吸音材が配設された防音カバーであって、背面に形成された開口に対向する正面部が、奥行きが拡大するように傾斜し、減衰部が形成されていることを特徴とする防音カバー。
【請求項２】
吸音材は表面に凹凸を有していることを特徴とする請求項１に記載の防音カバー。
【発明の詳細な説明】
【技術分野】
【０００１】
本発明は、換気時に室内の音がそのまま屋外に漏れるのを防止する防音カバーに関する。
【背景技術】
【０００２】
２４時間換気システムなどの定期的に室内の空気と屋外の空気を交換し、室内を換気する換気システムでは、図３に示したように、換気扇３１が室内Ａに設置される場合と、図４に示したように、換気扇３１が壁体Ｗ内に埋設される場合とがある。換気扇３１が室内Ａに設置される場合には、図３に示したように、壁体Ｗ内に室内Ａと屋外Ｂとを連通させるダクト３２が配設され、その室内Ａ側の端部に換気扇３１の排気口３３や吸気口が接続される。ダクト３２の屋外Ｂ側の端部には、雨水の浸入を防止する屋外フード３４が接続され、屋外フード３４は外壁面Ｗｂ上に設置される。換気扇３１が壁体Ｗ内に埋設される場合には、図４に示したように、外壁面Ｗｂ上に設置された屋外フード３４に換気扇３１の排気口３３や吸気口が直接連通接続される。
【０００３】
図４に示した換気システムでは、屋外フード３４として防音カバー３５が採用されている。シアタールームなどの大音量の音が発生する部屋の換気を行う場合には、換気時に室内Ａの空気が排気されることにともなって、室内Ａの音がそのまま屋外Ｂに漏れるのを防止するために防音カバー３５が設置される。防音カバー３５は、通常、内面に、ポリウレタン、発泡ブチルゴムなどによる吸音材が貼り付けられ、吸音材によって音を吸収し、減衰させている。
【０００４】
防音性能を向上させるものとして、図５に示したような防音型給気装置が提案されている（特許文献１）。
【０００５】
図５に示した防音型給気装置では、防音カバー３５に相当する吸気筒３６の内面に、凹凸３７を表面に有する吸音材３８が貼着され、吸気筒３６の内部に音拡散装置３９が設けられている。防音型給気装置は、進入してくる音を音拡散装置３９で反射して吸音材３８により効率よく吸音し、高レベルの吸音効果を確保することができる。このような防音型給気装置を図４に示した防音カバー３５に応用することで、換気時に室内Ａの音がそのまま屋外Ｂに漏れるのを防止することができると一応考えられる。
【特許文献１】特開平９−１４７０６号公報
【発明の開示】
【発明が解決しようとする課題】
【０００６】
しかしながら、図５に示した防音型給気装置では、進入してくる音を反射するために音拡散装置３９を吸気筒３６の内部に配設する必要があり、その分部材が増え、また、音拡散装置３９の形状および配置位置は通気抵抗を考慮して決めなければならず、設計が難しいなどの問題がある。
【０００７】
本発明は、以上の通りの事情に鑑みてなされたものであり、簡便に音を反射させ、減衰させることができ、部材数が増えることのない防音カバーを提供することを課題としている。
【課題を解決するための手段】
【０００８】
本発明の防音カバーは、上記の課題を解決するために、以下のことを特徴としている。
【０００９】
第１に、内面に吸音材が配設された防音カバーであって、背面に形成された開口に対向する正面部が、奥行きが拡大するように傾斜し、減衰部が形成されている。
【００１０】
第２に、上記において、吸音材は表面に凹凸を有している。
【発明の効果】
【００１１】
上記第１の発明によれば、背面の開口から進入してくる音を正面の傾斜している部分で反射させて減衰部に導き、減衰部内で反射を繰り返させ、音が抜けるまでの反射回数を増やすことによって吸音材の吸音効率を高め、音を減衰させることができる。音の減衰により音漏れが低減する。正面の形状によって音を反射させ、減衰させることができるため、音反射用の部材が必要でなく、構造が簡略化され、音の反射および減衰を簡便に行うことができる。
【００１２】
上記第２の発明によれば、表面の凹凸によって吸音面積が拡大され、吸音効率がより高まる。
【発明を実施するための最良の形態】
【００１３】
図１は、本発明の防音カバーの一実施形態を示した側面図である。
【００１４】
防音カバー１は、背面２の上部に開口３を有し、背面２側から正面４にかけて斜め上方に傾斜する底面部５に通気口６を有している。防音カバー１は中空であり、内部に開口３と通気口６とを連通接続する通気路７が形成されている。
【００１５】
防音カバー１の正面４は、開口３に対向する部分が、奥行きが拡大するように斜め上方に傾斜する傾斜面部８とされ、傾斜面部８の上端から正面４の上端まで直立面部９が設けられている。このようにして防音カバー１の上端部に減衰部１０が形成されている。傾斜面部８の下端から正面４の下端までは直立面部９に平行に直立面部１１が設けられている。
【００１６】
防音カバー１は、ステンレス板、鋼板などから形成することができ、外表面を塗装仕上げすることができる。
【００１７】
防音カバー１の内面には、図５に示した吸音材３８と同様に、図２に示したように、表面に凹凸１２を有する吸音材１３が遮音層１４を介して配設されている。吸音材１３は、たとえばポリウレタン、発泡ブチルゴムなどによって表面を凹凸１２状にして形成することができる。遮音層１４は、たとえば遮音シート、高比重材などが積層された遮音性を有する層である。
【００１８】
以上の防音カバー１は、図３に示したように、換気扇３１が室内Ａに設置される場合には、室内Ａと屋外Ｂとを連通し、壁体Ｗの内部に配設されたダクト３２の屋外Ｂ側の端部に開口３を連通させて外壁面Ｗｂ上に設置することができる。この場合、ダクト３２は排気ダクトであり、換気扇３１の排気口３３に開口３を連通させて防音カバー１を接続する。
【００１９】
図４に示したように、換気扇３１が壁体Ｗ内に埋設される場合には、排気口３３に直接開口３を連通させて防音カバー１を外壁面Ｗｂ上に設置することができる。
【００２０】
換気扇３１を作動させ、換気を行うと、室内Ａ側の空気は、排気口３３からダクト３２が設けられる場合には排気ダクトを通じて、ダクト３２が設けられない場合は排気口３３から直接図１に示した開口３に排気され、防音カバー１の内部の通気路７に送り出される。この時、室内Ａの音も防音カバー１の内部に進入する。
【００２１】
音は、たとえば図１図中に示した矢印方向に防音カバー１の内部の通気路７に進入してくる。音は、直進し、防音カバー１の正面４の傾斜面部８の裏に配設された吸音材１３に達し、吸音材１３の表面で反射する。傾斜面部８は、防音カバー１の奥行きが拡大するように斜め上方に傾斜しているので、反射音は上方に向かい、減衰部１０内へ導かれる。音は、反射する際にエネルギーの一部が吸収され、減衰する。減衰部１０内に導かれた音は、防音カバー１の背面２側に配設された吸音材１３の表面で再び反射し、さらに上方へ向かう。反射音は、また、防音カバー１の上面１５側に配設された吸音材１３の表面で反射し、下方に向かい、再び傾斜面部８の裏に配設された吸音材１３の表面で反射し、背面２側に向かう。このように減衰部１０内で反射を繰り返すたびに音のエネルギーは吸音材１３によって吸収され、音は次第に減衰していく。従来の防音カバーは、一般に、正面上端部がなだらかに背面側に向かって奥行きが縮小するように湾曲または傾斜しており、減衰部１０を持たず、上端部での音の反射は起こらない。したがって、図１に示した防音カバー１では、音の反射回数は、減衰部１０を持たない従来の防音カバーに比べ、減衰部１０における反射回数分増えている。音は、最終的に防音カバー１の底面部５の通気口６から抜けるまでの間に反射を繰り返し、エネルギーが吸音材１３に吸収されて十分に減衰する。このように、図１に示した防音カバー１は、音漏れが十分低減されたものとなっている。
【００２２】
したがって、シアタールームなどのような大音量の音が発生する部屋であっても、換気時に室内の音がそのまま屋外に漏れるのを防止することができる。音を反射させるために部材を増やすことなく、正面４の形状によって音を反射させ、反射回数を増やすことができ、防音カバー１の構造は簡略化されており、音の反射および減衰を簡便に行うことができる。
【００２３】
また、図１に示した防音カバー１では、吸音材１３は表面に図２に示したような凹凸１２を有しているので、吸音面積が拡大されており、吸音効率が高まっている。より一層音を減衰させることができる。
【００２４】
さらに、防音カバー１の内面には、吸音材１３との間に遮音層１４が介設されているので、防音カバー１の遮音性はより高くなっている。
【００２５】
なお、減衰部１０内で反射を繰り返す内に音の一部が開口３に向かい、室内に戻るようなことが起こりうるが、反射音はすでに減衰されており、室内の音に比べ小さく、反射音が室内の音に与える影響は十分小さい。
【００２６】
また、減衰部１０における傾斜面部８と直立面部９とのなす角度の内、小さい方の角度αは、２０°〜３０°が例示される。具体的には２２．５°のとき、良好な防音性能を確認している。
【００２７】
さらに、減衰部１０には、直立面部９を必ずしも設ける必要はなく、正面４の上端まで傾斜面部８が延びていても構わない。
【図面の簡単な説明】
【００２８】
【図１】本発明の防音カバーの一実施形態を示した側面図である。
【図２】図１に示した防音カバーの内面に配設された吸音材を示した断面図である。
【図３】換気構造の一例を示した要部断面図である。
【図４】換気構造の他の例を示した要部断面図である。
【図５】提案されている防音型給気装置を示した断面図である。
【符号の説明】
【００２９】
１  防音カバー
２  背面
３  開口
４  正面
１０  減衰部
１２  凹凸
１３  吸音材
【図１】
2008082582.tif 000003
【図２】
2008082582.tif 000004
【図３】
2008082582.tif 000005
【図４】
2008082582.tif 000006
【図５】
2008082582.tif 000007